(57)【要約】【課題】  従来の真空断熱材は、芯材の水分及びガス成分による断熱性能の劣化を防止するため、吸着材を前記芯材の内部に設けていた。しかし、前記吸着材は、一個所に配置する構造であり、前記吸着材を配置した個所との距離が遠くなる芯材個所が生じ、断熱性能が安定するのに十分な吸着時間が必要で、製造工程での仕掛りが多く、生産性が悪い。【解決手段】  芯材と前記芯材の水分及びガス成分を吸着する吸着材と、該芯材を被覆する内袋と外被材とからなる真空断熱材において、前記芯材の表面より等間隔に複数の挿入穴を設け、前記挿入穴の底部内に吸着材を配置することにより、前記吸着材が吸着する前記芯材の範囲が小さくなり、前記芯材の水分及びガス成分の吸着時間が短く、製造工程での仕掛りが少なくなり、生産性が良く、製造コスト上有効な真空断熱材、及び該真空断熱材を用いた冷蔵庫を提供できる。【選択図】  図２
2006312947.tif 000002
【特許請求の範囲】
【請求項１】
無機繊維集合体からなる芯材と前記芯材の水分及びガス成分を吸着する吸着材と、該芯材を被覆する内袋と外被材とからなる真空断熱材において、前記芯材の表面より等間隔に複数の挿入穴を設け、前記挿入穴の底部内に吸着材を配置したことを特徴とする真空断熱材。
【請求項２】
無機繊維集合体からなる芯材と前記芯材の水分及びガス成分を吸着する吸着材と、該芯材を被覆する内袋と外被材とからなる真空断熱材において、前記芯材の表面より等間隔に複数の挿入穴を設け、前記挿入穴の底部内に吸着材を配置し、前記挿入穴は芯材自身が有する弾性復元力で閉じる穴径で、前記挿入穴に配置する吸着材は前記芯材の水分及びガス成分を吸着するのに必要な量を等配分し、前記内袋の内部と前記外被材の内部を減圧密封、並びに圧縮平滑した前記外被材の表面に凹凸が無いことを特徴とする真空断熱材。
【請求項３】
外板と内板とを備え、前記外板と内板とによって形成される空間の前記外板側、又は前記内板側に真空断熱材を配設、前記真空断熱材以外の前記空間に発泡断熱材を充填した冷蔵庫において、無機繊維集合体からなる芯材と前記芯材の水分及びガス成分を吸着する吸着材と、該芯材を被覆する内袋と外被材とから構成し、前記芯材の表面より等間隔に複数の挿入穴を設け、前記挿入穴の底部内に吸着材を配置したことを特徴とする真空断熱材を用いたことを特徴とする冷蔵庫。
【請求項４】
外板と内板とを備え、前記外板と内板とによって形成される空間の前記外板側、又は前記内板側に真空断熱材を配設、前記真空断熱材以外の前記空間に発泡断熱材を充填した冷蔵庫において、無機繊維集合体からなる芯材と前記芯材の水分及びガス成分を吸着する吸着材と、該芯材を被覆する内袋と外被材とから構成し、前記芯材の表面より等間隔に複数の挿入穴を設け、前記挿入穴の底部内に吸着材を配置し、前記挿入穴は芯材自身が有する弾性復元力で閉じる穴径で、前記挿入穴に配置する吸着材は前記芯材の水分及びガス成分を吸着するのに必要な量を等配分し、前記内袋の内部と前記外被材の内部を減圧密封、並びに圧縮平滑した前記外被材の表面に凹凸が無いことを特徴とする真空断熱材を用いたことを特徴とする冷蔵庫。
【請求項５】
無機繊維集合体からなる芯材と前記芯材の水分及びガス成分を吸着する吸着材と、該芯材を被覆する内袋と外被材とから構成し、前記芯材の表面より等間隔に複数の挿入穴を設け、前記挿入穴の底部内に吸着材を充填したことを特徴とする真空断熱材の製造方法。
【発明の詳細な説明】
【技術分野】
【０００１】
本発明は、真空断熱材、及び真空断熱材を用いた冷蔵庫、並びに真空断熱材の製造方法に関する。
【背景技術】
【０００２】
真空断熱材、及び真空断熱材を用いた冷蔵庫に関する従来の方式は、特開2002-48466号の図1及び明細書記載のように、シート状無機繊維集合体の２層の間に、撥水処理を施している耐水性和紙層と微細孔を有しているポリエチレン層を含む積層フイルムからなる包装材にて覆われた少なくても水分を吸着する吸着材を配置し、真空断熱材製作過程の吸着材、並びに真空断熱材の劣化防止をしていた。
【０００３】
また、特開2004-218747号の図1及び明細書記載のように、芯材に設けた凹部に水分を吸着する吸着材を配置し、外被材と吸着材の間に保護シートを介在させ、  真空包装時のピンホール発生を防止していた。
【０００４】
【特許文献１】特開2002-48466号公報
【特許文献２】特開2004-218747号公報
【発明の開示】
【発明が解決しようとする課題】
【０００５】
しかしながら、前述した従来の例の特開2002-48466号或いは特開2004-218747号では、芯材の少なくても水分を吸着する吸着材を一個所に配置する構造であり、前記吸着材を配置した個所との距離が遠くなる芯材個所が生じ、前記芯材の水分を吸着するのに時間を要し、断熱性能が安定するのに十分な吸着時間が必要で、製造工程での仕掛りが多く、生産性が悪い課題がある。
【０００６】
また、前記吸着材を配置した個所とその他の個所では、芯材の厚み寸法に差が生じ、断熱性能を均等に出来ない課題がある。
【０００７】
また、一般に、真空断熱材を使用した冷蔵庫は、冷蔵庫の外板、又は内板の内側に接着部材を用いて真空断熱材を固定し、前記真空断熱材以外の空間にウレタン等の発泡断熱材を充填する構造であり、真空断熱材の表面の凹凸は、前記外板、又は内板の外面にひずみを発生させ、外観品質を低下させる恐れがあり、減圧密封後に圧縮平滑するが、前述した従来の例の特開2002-48466号或いは特開2004-218747号では、減圧密封後に圧縮平滑しても、後述するように芯材の厚み寸法の差が生じ、真空断熱材の表面に凹凸が出来る課題がある。
【０００８】
以下、前述の詳細を、前記特開2002-48466号の図８と前記特開2004-218747号の図９に於いて説明する。
【０００９】
図８に於いて、真空断熱材１は、複数の芯材２a、２bと外被材３と吸着材４と該吸着材４を包装する包装材５から構成し、前記芯材２aと芯材２bとの接合面の一端部に吸着材４を挟み保持されている。したがって、前記吸着材４を配置した芯材の一端部ともう一方の端部との距離が遠くなり、芯材の水分を吸着するのに十分な吸着時間が必要であり、製造工程での仕掛りが多く、生産性が悪い。
【００１０】
また、減圧蜜封した真空断熱材１の前記吸着材４を挟み保持した個所は、吸着材４の厚み寸法分の凹凸が外被材３の表面に生じ、圧縮平滑しても図８のように外被材３の表面が平坦とならず、冷蔵庫の外板、又は内板の外面にひずみが発生して、冷蔵庫の外観品質を低下させる恐れがある。
【００１１】
また、図８のように外被材３の表面に凹凸が無いようにするには、吸着材４の厚み寸法分の逃げ寸法を芯材２a又は２bに設ける必要があり、断熱性能を有する芯材の厚み寸法が、前記吸着材４を挟み保持した個所とその他の個所とで差が生じ、減圧密封した真空断熱材の断熱性能が均等にならない。
【００１２】
しかし、前記従来の例の特開2002-48466号には、その具体的対処方法が提示されていない。
【００１３】
つぎに、図９に於いて説明する。前述の図８と同一構成については、同一符号を付して詳細な説明を省略する。真空断熱材１は、芯材２と外被材３と吸着材４と保護シート６から構成し、凹部２aは前記芯材２のほぼ中央に設けられ、前記吸着材４が収納されている。したがって、前記吸着材４を配置した芯材の中央部と芯材の両端部との距離が遠くなり、芯材の水分を吸着するのに十分な吸着時間が必要であり、製造工程での仕掛りが多く、生産性が悪い。
【００１４】
また、断熱性能を有する芯材の厚み寸法は、前記吸着材４を収納する個所とその他の個所とで差が生じ、減圧密封した真空断熱材の断熱性能が均等にならない。
【００１５】
また、真空断熱材の断熱性能を均等にするために、前記吸着材４を収納する凹部１２aを小さくすると、吸着剤４の厚み寸法分の凹凸が圧縮平滑しても外被材３の表面に生じ、冷蔵庫の外板、又は内板の外面にひずみが発生して、冷蔵庫の外観品質を低下させる恐れがある。
【００１６】
しかし、前記従来の例の特開2004-218747号には、その具体的対処方法が提示されていない。
【００１７】
本発明は、このような従来の課題を解決しようとするものである。つまり、芯材と前記芯材の水分及びガス成分を吸着する吸着材と、該芯材を被覆する内袋と外被材とからなる真空断熱材において、前記芯材の表面より等間隔に複数の挿入穴を設け、前記挿入穴の底部内に吸着材を配置したので、前記吸着材が吸着する前記芯材の範囲が全ての個所で等しく小さくなり、前記芯材の水分及びガス成分の吸着時間を短く、製造工程での仕掛りを少なくなるので、生産性の良く製造コスト上有利な真空断熱材、及び該真空断熱材を用いた冷蔵庫を提供するものである。
【００１８】
また、複数の挿入穴の底部内に吸着材を配置し、前記挿入穴は芯材自身が持つ弾性復元力で閉じる穴径で、前記挿入穴に配置する吸着材は前記芯材の水分及びガス成分を吸着するのに必要な量を等配分するので、断熱性能を有する芯材の厚み寸法は、前記吸着材を配置する個所とその他の個所との差が小さくなり、減圧密封、並びに圧縮平滑した外被材の表面に凹凸の無い真空断熱材にすることが出来るので、断熱性能が均等で、表面が平坦な真空断熱材、及び該真空断熱材を用いた冷蔵庫を提供するものである。
【課題を解決するための手段】
【００１９】
本発明の請求項１に記載の発明は、芯材と前記芯材の水分及びガス成分を吸着する吸着材と、該芯材を被覆する内袋と外被材とから構成し、前記芯材の表面より等間隔に複数の挿入穴を設け、前記挿入穴の底部内に吸着材を配置したので、前記吸着材が吸着する前記芯材の範囲が全ての個所で等しく小さくなり、前記芯材の水分及びガス成分の吸着時間を短く、製造工程での仕掛りが少なくなるので、生産性が良く、製造コスト上有効な真空断熱材の提供が出来る。
【００２０】
本発明の請求項２に記載の発明は、芯材と前記芯材の水分及びガス成分を吸着する吸着材と、該芯材を被覆する内袋と外被材とから構成し、前記芯材の表面より等間隔に複数の挿入穴を設け、前記挿入穴の底部内に吸着材を配置し、前記挿入穴は芯材自身が有する弾性復元力で閉じる穴径で、前記挿入穴に配置する吸着材は前記芯材の水分及びガス成分を吸着するのに必要な量を等配分するので、断熱性能を有する芯材の厚み寸法は、前記吸着材を配置する個所とその他の個所との差が小さくなり、前記内袋の内部と前記外被材の内部を減圧密封、並びに圧縮平滑した前記外被材の表面に凹凸が無い真空断熱材にすることが出来るので、断熱性能が均等で、表面が平坦な真空断熱材の提供が出来る。
【００２１】
本発明の請求項３に記載の発明は、外板と内板とを備え、前記外板と内板とによって形成される空間の前記外板側、又は前記内板側に真空断熱材を配設、前記真空断熱材以外の前記空間に発泡断熱材を充填した冷蔵庫において、芯材と前記芯材の水分及びガス成分を吸着する吸着材と、該芯材を被覆する内袋と外被材とから構成し、前記芯材の表面より等間隔に複数の挿入穴を設け、前記挿入穴の底部内に吸着材を配置したので、前記吸着材が吸着する前記芯材の範囲が全ての個所で等しく小さくなり、前記芯材の水分及びガス成分の吸着時間を短く、製造工程での仕掛りが少なくなるので、生産性が良く、製造コスト上有効な真空断熱材を用いた冷蔵庫の提供が出来る。
【００２２】
本発明の請求項４に記載の発明は、外板と内板とを備え、前記外板と内板とによって形成される空間の前記外板側、又は前記内板側に真空断熱材を配設、前記真空断熱材以外の前記空間に発泡断熱材を充填した冷蔵庫において、芯材と前記芯材の水分及びガス成分を吸着する吸着材と、該芯材を被覆する内袋と外被材とから構成し、前記芯材の表面より等間隔に複数の挿入穴を設け、前記挿入穴の底部内に吸着材を配置し、前記挿入穴は芯材自身が有する弾性復元力で閉じる穴径で、前記挿入穴に配置する吸着材は前記芯材の水分及びガス成分を吸着するのに必要な量を等配分するので、断熱性能を有する芯材の厚み寸法は、前記吸着材を配置する個所とその他の個所との差が小さくなり、前記内袋の内部と前記外被材の内部を減圧密封、並びに圧縮平滑した前記外被材の表面に凹凸が無い真空断熱材にすることが出来るので、断熱性能が均等で、表面が平坦な真空断熱材を用いた冷蔵庫の提供が出来る。
【００２３】
本発明の請求項５に記載の発明は、芯材と前記芯材の水分及びガス成分を吸着する吸着材と、該芯材を被覆する内袋と外被材とから構成し、前記芯材の表面より等間隔に複数の挿入穴を設け、前記挿入穴の底部内に吸着材を充填する真空断熱材の製造方法であって、先が鋭利な中空の挿入管を用い、前記芯材の表面より等間隔に複数の穴を設け、前記挿入管の中空内部から前記吸着材を前記挿入穴の底部内に充填するために、前記吸着材が吸着する前記芯材の範囲を全ての個所で等しく小さくなり、前記芯材の水分及びガス成分の吸着時間を短く、製造工程での仕掛りが少なくなるので、生産性の良く、製造コスト上有効な真空断熱材の製造方法を提供できる。
【００２４】
また、挿入穴は芯材自身が有する弾性復元力で閉じる穴径で、前記挿入穴に配置する吸着材は前記芯材の水分及びガス成分を吸着するのに必要な量を等配分して、断熱性能を有する芯材の厚み寸法は、前記吸着材を配置する個所とその他の個所との差が小さくなるので、断熱性能が均等で、表面が平坦な真空断熱材の製造方法を提供できる。
【発明の効果】
【００２５】
上述したように本発明は、芯材の水分及びガス成分の吸着時間を短くなるように、等間隔に複数の吸着材を前記芯材内部に配置したので、製造工程での仕掛りが少なく、生産性の良く、製造コスト上有効な真空断熱材及び該真空断熱材を用いた冷蔵庫を提供できる。
【００２６】
また、断熱性能を有する芯材の厚み寸法が吸着材を配置する個所とその他の個所との差が小さくなるように、挿入穴を芯材自身が有する弾性復元力で閉じる穴径とし、前記挿入穴に配置する吸着材は前記芯材の水分及びガス成分を吸着するのに必要な量を等配分したので、断熱性能が均等で、表面が平坦な真空断熱材及び該真空断熱材を用いた冷蔵庫を提供できる。
【発明を実施するための最良の形態】
【００２７】
以下本発明の実施の形態について、図１から図７を用いて説明する。
【実施例１】
【００２８】
本発明の第一の実施例について、図面を参照しながら説明する。
【００２９】
図１は本発明の第一の実施例を示す冷蔵庫の縦断面図であり、図２は本発明の一実施例における真空断熱材の断面図であり、図３は本発明の一実施例における真空断熱材の正面図である。
【００３０】
先ず、図1に示すように、１０は冷蔵庫箱体であり、外板１１と内板１２とを備え、前記外板１１と内板１２とによって形成される空間の前記外板側または前記内板側に真空断熱材３０或いは４０を設置し、前記真空断熱材３０或いは４０以外の前記空間にウレタン等の発泡断熱材１３を充填してある。該冷蔵庫箱体１０は、その内部に冷蔵温度室１４と、製氷室や冷凍室を有する冷凍温度室１５とをそれぞれ区画形成している。１８は前記冷蔵庫を所定の温度に冷却する冷却器であり、１９は該冷却器１８と圧縮機２０とを含み図示しない一連の冷凍サイクルの一部を構成する配管である。１６は前記冷却器１８にて冷却した冷気を前記の冷蔵庫庫内に循環して所定の低温温度を保持する送風機である。１７は該送風機１６の配線コードである。
【００３１】
次に、図２及び図３により、本発明の第一の実施例における真空断熱材の一実施例について説明する。図２に於いて、芯材３１は、例えば、バインダーを含まない平均繊維径４μｍのグラスウール積層体{JISA9504の「人造鉱物繊維保温材」}等の無機繊維を使用して、寸法２４５×５６０、或いは寸法４６０×１５１０などの所定寸法の大きさに形成してある。吸着材３２は、前記芯材３１の水分及びガス成分を吸着するための、例えば、合成ゼオライトであるモレキュラシーブス１３Ｘ等で構成されたものであり、後述する先が鋭利な中空の挿入管を用いて、前記芯材４１の表面から２０以上の偶数個の挿入穴３１aを設け、前記挿入穴３１aの底部内に充填されている。なお、挿入穴３１aは、芯材自身が有する弾性復元力で閉じる、例えば、５ｍｍ以下の小さな穴径であり、吸着材３２を充填後、挿入管を芯材３１から引き抜くと芯材自身の弾性復元力で、挿入穴３１aが閉じて、吸着材３２を挟み保持する。また、吸着材３２は、前記芯材３１の水分及びガス成分を吸着するのに必要な量を等配分しているため、等配分しただけ前記吸着材３２の厚み寸法ｔ1が小さく、例えば、２ｍｍ以下になるようにしている。換言すると、吸着材３２は、顆粒に形成され、球径が２ｍｍ以下である。
【００３２】
図３に於いて、複数個所に設けた吸着材３２は、左右の間隔寸法Ｌ1、上下の間隔寸法Ｌ2とし、間隔寸法Ｌ1と間隔寸法Ｌ2の関係を１／２Ｌ1＜Ｌ2≦Ｌ1または１／２Ｌ2＜Ｌ1≦Ｌ2としている。
【００３３】
以上のように構成されているので、本発明の第一の実施例は、図２及び図３に示すように、吸着材３２が等間隔に複数配置されるため、前記芯材３１の水分及びガスを吸着する範囲が全ての個所で等しく小さくなり、吸着時間を短く、製造工程での仕掛りが少なくなるので、生産性が良く、製造コスト上有効な真空断熱材を用いた冷蔵庫の提供が出来る。
【００３４】
また、挿入穴３１aは、芯材自身が有する弾性復元力で閉じる穴であり、配置した吸着材３２は、芯材３１の水及びガスを吸着するのに必要な量を等配分しているので、等配分しただけ前記吸着材３２の厚み寸法ｔ1が小さくなる。換言すると、一粒一粒の前記吸着材３２が前記芯材３１に挟み保持される。したがって、断熱性能を有する芯材の厚み寸法は、前記吸着材３２を配置する個所とその他の個所との差が小さく、前記内袋３３の内部と前記外被材３４の内部を減圧密封、及び圧縮平滑した前記外被材３４の表面に凹凸が無い真空断熱材にすることが出来るので、断熱性能が均等で、表面が平坦な真空断熱材を用いた冷蔵庫の提供が出来る。
【実施例２】
【００３５】
次に本発明の第二の実施例について図４、図３により説明する。図４は本発明の二実施例における真空断熱材の断面図である。なお、第一の実施例と同一構成については、同一符号を付して詳細な説明を省略する。
【００３６】
図４に於いて、芯材３１は、例えば、バインダーを含まない平均繊維径４μｍのグラスウール積層体{JISA9504の「人造鉱物繊維保温材」}等の無機繊維を使用して、寸法２４５×５６０、或いは寸法４６０×１５１０などの所定寸法の大きさに形成してある。吸着材３２は、前記芯材３１の水分及びガス成分を吸着するための、例えば、合成ゼオライトであるモレキュラシーブス１３Ｘ等で構成されたものであり、後述する先端が鋭利な中空の挿入管を用いて、前記芯材３１の表面から２０以上の偶数個の挿入穴３１aを設け、前記挿入穴３１aの底部内に充填されている。なお、挿入穴３１aは、芯材自身が有する弾性復元力で閉じる、例えば、５ｍｍ以下の小さな穴径であり、吸着材３２を充填後、挿入管を芯材３１から引き抜くと芯材自身の弾性復元力で、挿入穴３１aは閉じ、吸着材３２を挟み保持する。また、吸着材３２は、前記芯材３１の水分及びガス成分を吸着するのに必要な量を等配分しているため、等配分しただけ前記吸着材３２の厚み寸法ｔ1が、例えば、２ｍｍ以下になるようにしている。換言すると、吸着材３２は顆粒に形成され、球径が２ｍｍ以下である。
【００３７】
図３に於いて、複数個所に設けた吸着材３２は、左右の間隔寸法Ｌ1、上下の間隔寸法Ｌ2とし、間隔寸法Ｌ1と間隔寸法Ｌ2の関係は１／２Ｌ1＜Ｌ2≦Ｌ1または１／２Ｌ2＜Ｌ1≦Ｌ2としている。
【００３８】
なお、第二の実施例の特徴とするところは、図４に示す真空断熱材３０の厚さ寸法Ｔ2が８ｍｍ以下と比較的薄い場合であり、かつ、芯材３１の表面より傾斜角度を付け、後述する先端が鋭利な挿入管により、挿入穴４１aが芯材４１を突き抜け無いようにした例である。
【００３９】
以上のように構成されているので、本発明の第二の実施例は、図４及び図３に示すように、吸着材３２が等間隔に複数配置されるため、前記芯材３１の水分及びガスを吸着する範囲が全ての個所で等しく小さくなり、吸着時間を短く、製造工程での仕掛りが少なくなるので、生産性が良く、製造コスト上有効な真空断熱材を用いた冷蔵庫の提供が出来る。
【００４０】
また、挿入穴３１aは、芯材自身が有する弾性復元力で閉じる穴であり、配置した吸着材３２は、芯材３１の水及びガスを吸着するのに必要な量を等配分しているので、等配分しただけ前述した吸着材３２の厚み寸法ｔ1が小さくなる。換言すると、一粒一粒の前記吸着材３２が前記芯材３１に挟み保持される。したがって、断熱性能を有する芯材の厚み寸法は、前記吸着材３２を配置する個所とその他の個所との差が小さく、前記内袋３３の内部と前記外被材３４の内部を減圧密封、及び圧縮平滑した前記外被材３４の表面に凹凸が無い真空断熱材にすることが出来るので、断熱性能が均等で、表面が平坦な真空断熱材を用いた冷蔵庫の提供が出来る。
【実施例３】
【００４１】
次に本発明の第三の実施例について図５から図６により説明する。図５は本発明の第三の実施例における真空断熱材の製造工程説明図であり、図６は真空断熱材の吸着材充填工程説明図である。なお、第一の実施例と同一構成については、同一符号を付して詳細な説明を省略する。
【００４２】
先ず、図５により製造工程例を説明する。
【００４３】
図５に於いて、芯材切断工程５１は、前述したグラスウール積層体等の無機質繊維からなる芯材３１を所定の寸法に切断する。芯材乾燥工程５２は、例えば、200℃から250℃程度の乾燥炉中で、前記芯材３１に含まれる水分及びガス成分を除去する工程である。吸着材充填工程５３は、図６によりその詳細を後述する。内袋挿入工程５４は、短期的なガスバリア性を有し、且つ、熱溶着可能な合成樹脂フイルム、例えば、高密度ポリエチレン樹脂等で形成された内袋３３を用い、前記芯材３１を一次圧縮して、前記内袋３３内に挿入する。内袋包装工程５５は、前記芯材３１の一次圧縮を保持したまま、前記内袋３３の開口口を熱溶着密封する。外被材挿入工程５６は、前記内袋３３に包装した前記芯材３１を、長期的なガスバリア性を有し、且つ、熱溶着可能なラミネートフイルムで構成された外被材３４を用い、前記内袋３３に包装した前記芯材３１を、前記外被材３４内に挿入する。真空包装工程５７は、前記芯材３１を包装した前記内袋３３の一辺を切断開放し、前記内袋３３と前記外被材３４の内部を減圧して、密封包装をする工程である。平滑工程５８は、上下２本のローラを用いて、減圧密封した前記外被材３４の表面に出来る、主に前記芯材３１の密度バラツキによる凹凸を挟み込み圧縮を行い平滑する工程である。
【００４４】
次に図６について説明する。図６は前述した「吸着材充填工程５３」の第一の例であり、芯材３１の所定の位置に吸着材３２を自動充填する場合の説明図である。
【００４５】
図６（ａ）に於いて、コンベア３７は、芯材３１を置載搬送する。コンベア３８とコンベア３９は、前記コンベア３７で搬送される前記芯材３１を挟み込み、一次圧縮搬送をする。
【００４６】
次に図６（ｂ）に於いて、前記コンベア３８と前記コンベア３９の上に、前記芯材３１の所定の位置に前記吸着材３２を自動充填する吸着材充填装置３６を構成し、例えば、先端角度15から30度の中空の挿入管３６aを１本備えている。前記吸着材３２は、吸着材投入制御装置３５で制御される。前記コンベア３７と前記コンベア３８及び前記コンベア３９で、前記芯材３１を流れ方向、並びに幅方向の第１番目の所定位置に搬送すると、前記挿入管３６aを前期芯材３１の中央部まで挿入する。前記挿入管３６aの挿入後、前記吸着材投入制御装置３５で制御された前記吸着材３２が前記挿入管３６aの中空部内より、前記芯材３１の内部に自然落下、或いは挿入機構により自動充填される。前記吸着材３２の充填後、前記挿入管３５aを前記芯材３１から引き抜き、前記吸着材３２は、芯材自身が有する弾性復元力で前記挿入穴３１aが閉じ、前記芯材３１の内部に挟み保持される。
【００４７】
また、幅方向の第２番目以降の吸着材３２は、前記吸着材充填装置３６を幅方向の第２番目以降の位置に移動して、繰返し動作で自動充填する。また、流れ方向の第２番目以降の吸着材３２は、前記コンベア３７と前記コンベア３８及び前記コンベア３９により、前記芯材３１を流れ方向の第２番目以降の位置まで移動して、前記吸着材充填装置３６と前記吸着材投入制御装置３５の繰返し動作で自動充填する。全ての個所に前記吸着材３２を充填した後、前述した「内袋挿入工程５４」に前記芯材３１を搬送する。
【００４８】
なお、前記吸着材投入制御装置３５と前記吸着材充填装置３６との間は、密閉構造であり、前記吸着材３２が直接、大気に触れることは無く、大気中の水分を吸着しての前記吸着材３２の劣化防止をしている。また、前記吸着材充填装置３６に備えた前記挿入管３６aは、複数本備えても良く、数の限定は無い。
【００４９】
以上のように構成されているので、本発明の第三の実施例は、図６に示すように、吸着材３２が等間隔に複数配置されるため、芯材３１の水分及びガスを吸着する範囲が全ての個所で等しく小さくなり、吸着時間を短く、製造工程での仕掛りが少なくなるので、生産性が良く、製造コスト上有効な真空断熱材の製造方法を提供できる。
【００５０】
また、挿入穴３１aは、芯材自身が有する弾性復元力で閉じる穴であり、配置した吸着材３２は、芯材３１の水及びガスを吸着するのに必要な量を等配分しているので、等配分しただけ前述した吸着材３２の厚み寸法ｔ1が小さくなる。換言すると、一粒一粒の前記吸着材３２が前記芯材３１に挟み保持される。したがって、断熱性能を有する芯材の厚み寸法は、前記吸着材３２を配置する個所とその他の個所との差が小さく、前記内袋３３の内部と前記外被材３４の内部を減圧密封、及び圧縮平滑した前記外被材３４の表面に凹凸が無い真空断熱材にすることが出来るので、断熱性能が均等で、表面が平坦な真空断熱材を用いた冷蔵庫を提供できる。
【実施例４】
【００５１】
次に本発明の第四の実施例について図７により説明する。図７は本発明の第四の実施例における真空断熱材の吸着材充填工程説明図である。なお、第一の実施例と同一構成については、同一符号を付して詳細な説明を省略する。
【００５２】
図７は前述した「吸着材充填工程」の第二の例であり、芯材３１の所定の位置に吸着材３２を自動充填する場合の説明図である。
【００５３】
図７（ａ）に於いて、コンベア３７は、芯材３１を置載搬送する。コンベア３８とコンベア３９は、前記コンベア３７で搬送される前記芯材３１を挟み込み、一次圧縮搬送をする。
【００５４】
次に図７（ｂ）に於いて、前記コンベア３８と前記コンベア３９の上に、前記芯材３１の所定の位置に前記吸着材３２を自動充填する吸着材充填装置３６を構成し、例えば、先端角度15から30度の中空の挿入管３６aを１本備えている。前記吸着材３２は、吸着材投入制御装置３５で制御される。前記コンベア３７と前記コンベア３８及び前記コンベア３９で、前記芯材３１を流れ方向、並びに幅方向の第１番目の所定位置に搬送すると、前記挿入管３６aを前記芯材３１の中央部まで挿入する。前記挿入管３６aの挿入後、前記吸着材投入制御装置３５で制御された前記吸着材３２が前記挿入管３６aの中空部内より、前記芯材３１の内部に自然落下、或いは挿入機構により自動充填される。前記吸着材３２の充填後、前記挿入管３５aを前記芯材３１から引き抜き、前記吸着材３２は、芯材自身が有する弾性復元力で前記挿入穴３１aが閉じ、前記芯材３１の内部に挟み保持される。
【００５５】
また、幅方向の第２番目以降の吸着材３２は、前記吸着材充填装置３６を幅方向の第２番目以降の位置に移動して、繰返し動作で自動充填する。また、流れ方向の第２番目以降の吸着材３２は、前記コンベア３７と前記コンベア３８及び前記コンベア３９により、前記芯材３１を流れ方向の第２番目以降の位置まで移動して、前記吸着材充填装置３６と前記吸着材投入制御装置３５の繰返し動作で自動充填する。全ての個所に前記吸着材３２を充填した後、前述した「内袋挿入工程５４」に前記芯材３１を搬送する。
【００５６】
なお、前記吸着材投入制御装置３５と前記吸着材充填装置３６との間は、密閉構造であり、前記吸着材３２が直接、大気に触れることは無く、大気中の水分を吸着しての前記吸着材３２の劣化防止をしている。また、前記吸着材充填装置３６に備えた前記挿入管３６aは、複数本備えても良く、数の限定は無い。
【００５７】
また、第四の実施例の特徴とするところは、図４に示す真空断熱材３０の厚さ寸法Ｔ2が比較的薄い場合であり、かつ、芯材３１の表面より傾斜角度を付け、先端が鋭利な挿入管３６aにより、挿入穴３１aが芯材３１を突き抜け無いようにした例である。
【００５８】
以上のように構成されているので、本発明の第四の実施例は、図７に示すように、吸着材３２が等間隔に複数配置されるため、芯材３１の水分及びガスを吸着する範囲が全ての個所で等しく小さくなり、吸着時間を短く、製造工程での仕掛りが少なくなるので、生産性が良く、製造コスト上有効な真空断熱材の製造方法を提供できる。
【００５９】
また、挿入穴３１aは、芯材自身が有する弾性復元力で閉じる穴であり、配置した吸着材３２は、芯材３１の水及びガスを吸着するのに必要な量を等配分しているので、等配分しただけ前述した吸着材３２の厚み寸法ｔ1が小さくなる。換言すると、一粒一粒の前記吸着材３２が前記芯材３１に挟み保持される。したがって、断熱性能を有する芯材の厚み寸法は、前記吸着材３２を配置する個所とその他の個所との差が小さく、前記内袋３３の内部と前記外被材３４の内部を減圧密封、及び圧縮平滑した前記外被材３４の表面に凹凸が無い真空断熱材にすることが出来るので、断熱性能が均等で、表面が平坦な真空断熱材を用いた冷蔵庫を提供できる。
【図面の簡単な説明】
【００６０】
【図１】本発明の第一の実施例を示す冷蔵庫の縦断面図。
【図２】本発明の第一の実施例を示す真空断熱材の断面図。
【図３】本発明の第一の実施例を示す真空断熱材の正面図。
【図４】本発明の第二の実施例を示す真空断熱材の断面図。
【図５】本発明の第三の実施例における真空断熱材の製造工程説明図。
【図６】本発明の第三の実施例における真空断熱材の吸着材充填工程説明図。
【図７】本発明の第四の実施例における真空断熱材の吸着材充填工程説明図。
【図８】従来例の真空断熱材の断面図。
【図９】従来例の真空断熱材の断面図。
【符号の説明】
【００６１】
１１…外板、１２…内板、１３…発泡断熱材、３０、４０…真空断熱材、３１、４１…芯材、３２、４２…吸着剤外被材、３３、４３…内袋、３４、４４…外被材。
【図１】
2006312947.tif 000003
【図２】
2006312947.tif 000004
【図３】
2006312947.tif 000005
【図４】
2006312947.tif 000006
【図５】
2006312947.tif 000007
【図６】
2006312947.tif 000008
【図７】
2006312947.tif 000009
【図８】
2006312947.tif 000010
【図９】
2006312947.tif 000011